(57)【特許請求の範囲】
【請求項１】
触媒として、酸化カルシウム、水酸化カルシウムおよび酸化マグネシウムから選ばれる少なくとも一種の化合物とＬｉaＸ（式中、Ｘはヒドロキシ基、酸素原子、炭酸イオン、１〜６個の炭素原子を有するカルボン酸陰イオンまたは１〜４個の炭素原子を有するアルコキシ基であり、aはＸの価数を満たす整数）で表されるリチウム化合物を用い、かつ重合防止剤としてＮ−オキシル化合物を用いて、メチル（メタ）アクリレートと、炭素数３〜２０のアルコールまたは炭素数６〜２０のフェノール類とのエステル交換反応を行うことを特徴とする（メタ）アクリル酸エステルの製造方法。
【請求項２】
Ｎ−オキシル化合物が下記一般式（１）で示されるＮ−オキシル化合物、下記式（２）で示されるシクロヘキサン−１−スピロ−２’−（４’−オキソイミダゾリジン−１’−オキシル）−５’−スピロ−１’’−シクロヘキサンのうちから選ばれた少なくとも一種のＮ−オキシル化合物であることを特徴とする（メタ）アクリル酸エステルの製造方法。
【化１】
0004065676.tif 000007
【化２】
0004065676.tif 000008
（式中、Ｒ1、Ｒ2、Ｒ3、Ｒ4は炭素数が１〜１２のアルキル基であって直鎖状でも分岐状でもよい。さらにＲ1とＲ2および／またはＲ3とＲ4は互いに環を形成していてもよい。Ｒ5はＨ、ＯＨ、ＯＲ、ＯＣＯＲ、ＮＨＣＯＲまたはＯ−［（ＥＯ）n＋（ＰＯ）m］−Ｈ、Ｒ6はＨ、またはＲ5とＲ6は一緒になって＝Ｏを表す。尚、Ｒは炭素数１〜８のアルキル基、炭素数２〜８のアルケニル基、炭素数６〜１２のアリール基、炭素数７〜１２のアラルキル基を示し、ＥＯはエチレンオキシ基を、ＰＯはプロピレンオキシ基を示し、ｎおよびｍは同一または異なる０〜１０の整数であってｎおよびｍが同時に０になることはない。）
【請求項３】
水酸化カルシウムおよび酸化マグネシウムから選ばれる少なくとも一種の化合物とＬｉaＸ（式中、Ｘはヒドロキシ基、酸素原子、炭酸イオン、１〜６個の炭素原子を有するカルボン酸陰イオンまたは１〜４個の炭素原子を有するアルコキシ基であり、aはＸの価数を満たす整数）で表されるリチウム化合物を含む（メタ）アクリル酸エステル製造用触媒。
【発明の詳細な説明】
【０００１】
【発明の属する技術分野】
本発明は（メタ）アクリル酸エステルのエステル交換法による製造方法に関する。
【０００２】
【従来の技術】
エステル交換法による（メタ）アクリル酸エステルの製造法としては、チタン系触媒やスズ系触媒を使用する方法などが知られている。酸化カルシウムを触媒に用いる方法として、例えば特開昭５０−１４２５１３号公報ではジメチルアミノエチルメタクリレートまたはジメチルアミノエチルアクリレートの製造法が開示され、特開昭６１−５０９４０号公報では酸化カルシウムおよびリチウム含有化合物を触媒として用いた（メタ）アクリル酸エステルの製造法が開示されている。一方、テトラアルキルチタネート触媒を用いる方法として、例えば特開平１−２５８６４２号公報には立体障害フェノールを重合防止剤として組み合わせる方法が開示され、特開平４−６６５５５号公報には原料アルコールのアルキル基と同一のアルキル基を持つテトラアルキルチタネートを用いる方法が開示されている。また、特開平５−３２０２０５号公報および特開平５−３２０２１７号公報では、特定のＮ−オキシル化合物を単独であるいはその他の重合防止剤と併せて用いる重合防止方法が記載されている。
【０００３】
【発明が解決しようとする課題】
しかしながら、特開昭５０−１４２５１３号公報あるいは特開昭６１−５０９４０号公報記載の方法で（メタ）アクリル酸エステルを製造する場合には重合防止剤の選択によって反応途中で著しく重合が進行したり、反応終了時の反応液が著しく着色し、その後に洗浄および／あるいは蒸留といった精製操作が必要であった。特開平１−２５８６４２号公報記載の方法は、高い反応率で反応を行うと、触媒由来のアルコール又はそのエステルが反応系に混入するという問題があった。また、特開平４−６６５５５号公報記載の方法は、原料アルコールに応じて触媒を用意する必要があり、原料アルコールの種類によっては市販品の触媒が存在しないために、その都度触媒から製造しなければならないという問題があった。さらに、これらの技術では触媒が反応液に溶け込み、生成したエステル体を蒸留などの操作によって分離する必要があった。
【０００４】
本発明の目的は、エステル交換反応終了後の反応液から（メタ）アクリル酸エステルを分離する際に、蒸留操作を特に必要とせず、濾過操作により重合物や着色の少ない（メタ）アクリル酸エステルを製造する方法、およびこのような用途に使用できる（メタ）アクリル酸エステル製造用触媒を提供することにある。
【０００５】
【課題を解決するための手段】
本発明は触媒として、酸化カルシウム、水酸化カルシウムおよび酸化マグネシウムから選ばれる少なくとも一種の化合物とＬｉaＸ（式中、Ｘはヒドロキシ基、酸素原子、炭酸イオン、１〜６個の炭素原子を有するカルボン酸陰イオンまたは１〜４個の炭素原子を有するアルコキシ基であり、aはＸの価数を満たす整数）で表されるリチウム化合物を用い、かつ重合防止剤としてＮ−オキシル化合物を用いて、メチル（メタ）アクリレートと、炭素数３〜２０のアルコールまたは炭素数６〜２０のフェノール類とのエステル交換反応を行うことを特徴とする（メタ）アクリル酸エステルの製造方法であり、特にＮ−オキシル化合物が下記一般式（１）で示されるＮ−オキシル化合物、下記式（２）で示されるシクロヘキサン−１−スピロ−２’−（４’−オキソイミダゾリジン−１’−オキシル）−５’−スピロ−１''−シクロヘキサンのうちから選ばれた少なくとも一種のＮ−オキシル化合物であることを特徴とする（メタ）アクリル酸エステルの製造方法である。
【０００６】
【化３】
0004065676.tif 000002
【０００７】
【化４】
0004065676.tif 000003
【０００８】
（式中、Ｒ1、Ｒ2、Ｒ3、Ｒ4は炭素数が１〜１２のアルキル基であって直鎖状でも分岐状でもよい。さらにＲ1とＲ2および／またはＲ3とＲ4は互いに環を形成していてもよい。Ｒ5はＨ、ＯＨ、ＯＲ、ＯＣＯＲ、ＮＨＣＯＲまたはＯ−［（ＥＯ）n＋（ＰＯ）m］−Ｈ、Ｒ6はＨ、またはＲ5とＲ6は一緒になって＝Ｏを表す。尚、Ｒは炭素数１〜８のアルキル基、炭素数２〜８のアルケニル基、炭素数６〜１２のアリール基、炭素数７〜１２のアラルキル基を示し、ＥＯはエチレンオキシ基を、ＰＯはプロピレンオキシ基を示し、ｎおよびｍは同一または異なる０〜１０の整数であってｎおよびｍが同時に０になることはない。）
【０００９】
また本発明は、水酸化カルシウムおよび酸化マグネシウムから選ばれる少なくとも一種の化合物とＬｉaＸ（式中、Ｘはヒドロキシ基、酸素原子、炭酸イオン、１〜６個の炭素原子を有するカルボン酸陰イオンまたは１〜４個の炭素原子を有するアルコキシ基であり、aはＸの価数を満たす整数）で表されるリチウム化合物を含む（メタ）アクリル酸エステルのエステル交換反応用触媒である。
【００１０】
【発明の実施の形態】
本発明では、触媒として、酸化カルシウム、水酸化カルシウムおよび酸化マグネシウムから選ばれる少なくとも一種の化合物とＬｉaＸ（式中、Ｘはヒドロキシ基、酸素原子、炭酸イオン、１〜６個の炭素原子を有するカルボン酸陰イオンまたは１〜４個の炭素原子を有するアルコキシ基であり、aはＸの価数を満たす整数）で表されるリチウム化合物を用いることにより、反応終了後、濾過などの簡単な操作によって容易に短時間で触媒を反応液から分離することができる。その際、触媒としてはカルシウム含有化合物およびリチウム含有化合物を用いることが重要で、どちらか一方がない場合には反応時間が長くなり、生産性の低下あるいは重合の進行などを招く。
【００１１】
さらに本発明で用いる重合防止剤はＮ−オキシル化合物である必要がある。Ｎ−オキシル化合物は、通常用いられるヒドロキノン、ヒドロキノンモノメチルエーテルなどのフェノール系あるいはアミン系重合防止剤に比べて重合抑制効果は極めて高く、反応終了後の反応液が着色することはない。さらに、Ｎ−オキシル化合物は、系内に過剰にある（メタ）アクリル酸エステルと反応しても、重合防止効果が全く損なわれることがない。従って、特開平１−２５８６４２号公報のようにバルキーな基を導入して反応性を小さくした立体障害フェノールを用いる必要がない。また、少量で優れた重合防止効果が期待される。
【００１２】
このように、酸化カルシウム、水酸化カルシウムおよび酸化マグネシウムから選ばれる少なくとも一種の化合物およびＬｉ含有化合物を触媒に用い、Ｎ−オキシル化合物を重合防止剤に用いることにより、反応終了後の生成物からの触媒の分離が容易で着色がなく高い反応率で（メタ）アクリル酸エステルを製造することができる。
【００１３】
本発明の（メタ）アクリル酸エステルの製造方法において原料であるメチル（メタ）アクリレートは、慣用されるようにメチルアクリレートまたはメチルメタクリレートをいう。また本発明において、メチル（メタ）アクリレートと反応させるアルコールまたはフェノール類は、アルコールについては炭素数３〜２０、フェノール類については炭素数６〜２０である。
【００１４】
アルコールとしては、アルカノール類、アルコキシアルカノール類、アルケノキシアルカノール類、アルケノール類、フェノキシアルカノール類、シクロアルカノール類、アルキルシクロアルカノール類、シクロアルキルアルカノール類、フェニルアルカノール類、アルキルフェニルアルカノール類、ハロアルカノール類、シアノアルカノール類、アミノアルカノール類などが挙げられる。
【００１５】
このようなアルコールおよびフェノール類の中でも、アルカノール類、アルケノール類、アミノアルケノール類が好ましく、アルカノール類が特に好ましい。
【００１６】
具体的にアルコール又はフェノール類としては、ｎ−プロパノール、イソプロパノール、ｎ−ブタノール、イソブタノール、ターシャリーブタノール、ｎ−ペンタノール、ｎ−ヘキサノール、ｎ−ヘプタノール、ｎ−オクタノール、２−エチルヘキサノール、ラウリルアルコール、ステアリルアルコール、トリデカノール、ジメチルアミノエタノール、ジエチルアミノエタノール、シクロヘキサノール、３，３，５−トリメチルシクロヘキサノール、４−ターシャリーブチルシクロヘキサノール、フェノール、ベンジルアルコール、１−フェニルエチルアルコール、２−フェニルエチルアルコール、フェノキシエタノール、メトキシエタノール、エトキシエタノール、ブトキシエタノール、アリルアルコール、メタリルアルコール、エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール、プロパンジオール、ブタンジオール、ペンタンジオール、ヘキサンジオール、オクタンジオール、デカンジオール、グリセリン、トリメチロールプロパン、ヘキサントリオール、ペンタエリスリトール、ジペンタエリスリトール、ネオペンチルグリコールなどが挙げられるがこれに限定されるものではない。
【００１７】
原料のメチル（メタ）アクリレートとアルコールまたはフェノール類との仕込み混合比率は、任意に設定することができるが、目的とする（メタ）アクリル酸エステル化合物の生産性の観点からアルコールまたはフェノール類１モルに対して、通常メチル（メタ）アクリレート０．１〜１０．０モルであり、好ましくは０．３〜４．０モルである。
【００１８】
本発明で触媒として用いられる酸化カルシウム、水酸化カルシウム、酸化マグネシウムおよびＬｉaＸ（式中、Ｘはヒドロキシ基、酸素原子、炭酸イオン、１〜６個の炭素原子を有するカルボン酸陰イオンまたは１〜４個の炭素原子を有するアルコキシ基であり、aはＸの価数を満たす整数）で表されるリチウム化合物のそれぞれは市販品をそのまま用いても良いが、酸化カルシウムに関しては酸素含有気体流通下任意の温度で焼成してから用いても良い。また、ＬｉaＸの具体例としては、水酸化リチウム、炭酸リチウム、酸化リチウム、酢酸リチウム、リチウムメチラートなどが挙げられる。
【００１９】
本発明における触媒の総合使用量は、使用されるアルコールまたはフェノール類に対して、０．０１〜３０質量％、好ましくは０．１〜１０質量％であり、ＬｉaＸが必須であって、酸化カルシウム、水酸化カルシウムおよび酸化マグネシウムはいずれか一種類を用いても良いが、任意の混合物であっても良い。触媒使用量は少なすぎると、（メタ）アクリル酸エステルの収率が低下したり、未反応物の回収量が増えたり、反応時間が長くなって生産性が低下する場合がある。また、多すぎても、（メタ）アクリル酸エステルの収率や、反応時間等が大きく変化することはなく、ただ単に触媒使用量の増大をもたらすだけである。この時のＬｉaＸの使用量は総合触媒に対して任意に設定することができる。また、触媒の反応液への添加方法はこれら触媒をあらかじめ混合してから添加しても良く、それぞれの触媒を任意の順位で順次添加しても良い。
【００２０】
また、本発明で用いられる重合防止剤はＮ−オキシル化合物であり、前記一般式（１）中で、Ｒ1、Ｒ2、Ｒ3、Ｒ4は炭素数が１〜８のアルキル基であって直鎖状でも分岐状でもよい。さらにＲ1とＲ2および／またはＲ3とＲ4は互いに環を形成していてもよい。Ｒ5はＨ、ＯＨ、ＯＲ、ＯＣＯＲ、ＮＨＣＯＲまたはＯ−［（ＥＯ）n＋（ＰＯ）m］−Ｈ、Ｒ6はＨ、またはＲ5とＲ6は一緒になって＝Ｏを表す。尚、Ｒは炭素数１〜８のアルキル基、炭素数２〜８のアルケニル基、炭素数６〜１２のアリール基、炭素数７〜１２のアラルキル基を示し、ＥＯはエチレンオキシ基を、ＰＯはプロピレンオキシ基を示し、ｎおよびｍは同一または異なる０〜１０の整数であってｎおよびｍが同時に０になることはない。
【００２１】
なお、一般式（１）において、基Ｏ−［（ＥＯ）n＋（ＰＯ）m］−Ｈについては、エチレンオキシ基とプロピレンオキシ基の配列は自由に選択することができる。例えば、エチレンオキシ基とプロピレンオキシ基とが相互にランダムに配列しているような場合や、それぞれがいくつかのブロックに分かれて配列しているような場合であっても、エチレンオキシ基の数の和がｎであってプロピレンオキシ基の数の和がｍである場合は、この表記に含まれるものである。
【００２２】
Ｒ1、Ｒ2、Ｒ3、Ｒ4としては、炭素数１〜５の直鎖または分岐アルキル基が好ましく、メチル、エチル、プロピル、ブチル等を挙げることができる。この中でもメチルおよびエチルが好ましい。
【００２３】
Ｒ5としては、Ｈ；ＯＨ；Ｒがメチル、エチル、プロピル、フェニル、ベンジル等のＯＲ；Ｒがメチル、エチル、ベンジル、ビニル、アリル等のＯＣＯＲ；Ｒがメチル、エチル、ビニル、プロピル等のＮＨＣＯＲ；およびジエチレングリコール、トリエチレングリコール、テトラエチレングリコール、ジプロピレングリコール等の水酸基の水素を除いたＯ−［（ＥＯ）n＋（ＰＯ）m］−Ｈを挙げることができる。また、Ｒ6としては、Ｈが好ましい。
【００２４】
具体的には、前記一般式（１）で表されるＮ−オキシル化合物の例として、２，２，６，６−テトラメチルピペリジン−Ｎ−オキシル、４−ヒドロキシ−２，２，６，６−テトラメチルピペリジン−Ｎ−オキシル、４−アセチルオキシ−２，２，６，６−テトラメチルピペリジン−Ｎ−オキシル、４−アクリロイルオキシ−２，２，６，６−テトラメチルピペリジン−Ｎ−オキシル、４−メタクリロイルオキシ−２，２，６，６−テトラメチルピペリジン−Ｎ−オキシル、４−ベンゾイルオキシ−２，２，６，６−テトラメチル−ピペリジン−Ｎ−オキシル、４−メトキシ−２，２，６，６−テトラメチルピペリジン−Ｎ−オキシル、４−エトキシ−２，２，６，６−テトラメチルピペリジン−Ｎ−オキシル、４−フェノキシ−２，２，６，６−ピペリジン−Ｎ−オキシル、４−ベンジルオキシ−２，２，６，６−テトラメチルピペリジン−Ｎ−オキシル、４−アセチルアミノ−２，２，６，６−テトラメチルピペリジン−Ｎ−オキシル、４−アクリロイルアミノ−２，２，６，６ーテトラメチルピペリジン−Ｎ−オキシル、４−メタクリロイルアミノ−２，２，６，６−テトラメチルピペリジン−Ｎ−オキシル、４−ベンゾイルアミノ−２，２，６，６−テトラメチルピペリジン−Ｎーオキシル、４−シンナモイルアミノ−２，２，６，６−テトラメチルピペリジン−Ｎ−オキシル、４−クロトニルアミノ−２，２，６，６−テトラメチルピペリジン−Ｎ−オキシル、４−プロピオニルアミノ−２，２，６，６−テトラメチルピペリジン−Ｎ−オキシル、４−ブチリルアミノ−２，２，６，６−テトラメチルピペリジン−Ｎ−オキシル、２，２，６，６−テトラメチル−４−ピペリドン−Ｎ−オキシル、４−［Ｈ−（ＥＯ）2−Ｏ］−２，２，６，６−テトラメチルピペリジン−Ｎ−オキシル、４−［Ｈ−（ＥＯ）4−Ｏ］−２，２，６，６−テトラメチルピペリジン−Ｎ−オキシル、４−［Ｈ−（ＥＯ）6−Ｏ］−２，２，６，６−テトラメチルピペリジン−Ｎ−オキシル、４−［Ｈ−（ＥＯ）8−Ｏ］−２，２，６，６−テトラメチルピペリジン−Ｎ−オキシル、４−［Ｈ−（ＥＯ）10−Ｏ］−２，２，６，６−テトラメチルピペリジン−Ｎ−オキシル、４−［Ｈ−［（ＥＯ）2＋（ＰＯ）4］−Ｏ］−２，２，６，６−テトラメチルピペリジン−Ｎ−オキシル、４−［Ｈ−［（ＥＯ）4＋（ＰＯ）3］−Ｏ］−２，２，６，６−テトラメチルピペリジン−Ｎ−オキシル、４−［Ｈ−［（ＥＯ）6＋（ＰＯ）3］−Ｏ］−２，２，６，６−テトラメチルピペリジン−Ｎ−オキシル、４−［Ｈ−（ＰＯ）10−Ｏ］−２，２，６，６−テトラメチルピペリジン−Ｎ−オキシル、４−［Ｈ−（ＰＯ）6−Ｏ］−２，２，６，６−テトラメチルピペリジン−Ｎ−オキシル、４−［Ｈ−［（ＥＯ）5＋（ＰＯ）10］−Ｏ］−２，２，６，６−テトラメチルピペリジン−Ｎ−オキシル等が挙げられるがこれに限定されるものではない。表１および表２にこれらの化合物およびその他のオキシル化合物の代表例を示した。
【００２５】
【表１】
0004065676.tif 000004
【００２６】
【表２】
0004065676.tif 000005
【００２７】
また、前記式（２）で表されるシクロヘキサン−１−スピロ−２’−（４’−オキソイミダゾリジン−１’−オキシル）−５’−スピロ−１''−シクロヘキサンを用いてもよい。
【００２８】
これらのＮ−オキシル化合物は、単独でも使用できるが、２種類以上併用してもよい。
【００２９】
使用するＮ−オキシル化合物の量は、原料メチル（メタ）アクリレートの量に対して通常０．０１〜５０００ｐｐｍ、好ましくは０．１〜１０００ｐｐｍ、より好ましくは１〜１００ｐｐｍである。Ｎ−オキシル化合物が少なすぎると充分な重合防止効果を得るのが困難となる場合があり、製品である（メタ）アクリル酸エステルの収率が低下する。一方、多すぎても、重合防止効果に大きな差は認められない。
【００３０】
本発明の触媒を用いた反応の様式としては、流動床、固定床式あるいは攪拌式等一般に用いられる手法を使用することができ、流通式、回分式のいずれの方法であってもよい。また、本発明で用いる触媒は固体触媒であるため、反応液と触媒の分離は極めて容易である。即ち、反応を回分式反応装置を用いて行う場合は、反応終了後反応液をろ過ないしデカンテーションにより分離することができる。さらに、分離した触媒分は繰り返しエステル交換反応に使用することができる。また管型流通式反応器を用いる場合は、触媒を反応器内に充填し固定床にすることにより、反応液のみを取り出すことができる。反応液中には目的である（メタ）アクリル酸エステルと原料の未反応メチル（メタ）アクリレートあるいはアルコール、さらに重合防止剤が含まれ、減圧下で未反応メチル（メタ）アクリレートあるいはアルコール、フェノール類を留去して製品としても良いが、必要に応じて減圧下に蒸留精製又は抽出操作により（メタ）アクリル酸エステルを高純度、高品質で得ることもできる。
【００３１】
本発明の反応圧力は減圧、常圧、加圧いずれの圧力下においても実施でき、さらに反応温度は特に制限はなく、設定圧力における反応溶液の沸点温度で自由に設定することができるが、反応速度論の面からは高温の方が望ましい。ただし、（メタ）アクリル酸エステルの場合は重合防止の観点から１５０℃以下であることが好ましい。
【００３２】
反応の進行と共に、原料メチル（メタ）アクリレートから副生するメタノールは（メタ）アクリル酸エステル又は適当な溶媒との共沸混合物として反応系外に取り出すことも可能である。
【００３３】
反応の終了はさらに共沸混合物が留出しなくなることによって知ることができるが、反応系内の仕込みアルコールが完全に消費されることによって知ることもできる。
【００３４】
【実施例】
以下、本発明を実施例および比較例をあげて説明する。使用したＮ−オキシル化合物は表１または表２に示した化合物番号で表示した。メタクリル酸メチルはＭＭＡ、アクリル酸メチルはＭＡと略記する。また、反応液中の成分分析および得られた（メタ）アクリル酸エステルの純度は、ガスクロマトグラフィーを用いて分析した。なお、本明細書で用いる転化率の定義は以下の通りである。
転化率（％）＝（反応した原料アルコールモル数／供給した原料アルコールモル数）×１００
収率（％）＝（得られた（メタ）アクリル酸エステルのモル数／供給した原料アルコールのモル数）×１００
また、製品への着色度は吸光光度計を用いて、露光長１００ｍｍのセルにおける４１７ｎｍの水に対する吸光度を測定することによって評価した。
【００３５】
［実施例１］
２０段オルダーショウ蒸留塔を備えた還流装置を用い、２Ｌ容の側管付き四つ口フラスコに、ＭＭＡ８０４ｇ（８モル）、ラウリルアルコール４９５ｇ（２．７モル）、酸化カルシウム２４．８ｇ（ラウリルアルコールに対して５質量％）、水酸化リチウム１２．４ｇ（ラウリルアルコールに対して２．５質量％）および０．００６８ｇ（８．５ｐｐｍ対ＭＭＡ）のＮ−オキシル化合物８をフラスコ内に仕込み、空気気流下に攪拌して６時間エステル交換反応を行った。反応液をガスクロマトグラフィーによって分析したところ、９９．３％の原料ラウリルアルコールがメタクリル酸ラウリルに転化していた。この間、反応で生成するメタノールはＭＭＡとの共沸で系外に除去した。このとき反応液の温度は１０４℃から１２０℃まで上昇したが、釜および塔には重合物の残渣や付着物は全くなかった。次に、この反応液を常圧にて濾過を行い触媒を分離した後、８０℃に加熱し、徐々に系を減圧状態とし最終的に１０ｋＰａの減圧下までＭＭＡを留去した。この結果、純度９９．８％のメタクリル酸ラウリル６７３ｇ（ラウリルアルコールに対する収率９８．０％）を得た。また、得られたメタクリル酸ラウリルの４１７ｎｍにおける吸光度は０．０６であった。
【００３６】
［実施例２〜実施例１０］
表３に示した原料アルコールと触媒および重合防止剤を用いた以外は実施例１と同様にエステル交換反応を行い、表３に示した反応温度、反応時間、アルコール基準転化率、吸光度で対応するメタクリル酸エステルを得た。
【００３７】
このとき、いずれの実施例においても、釜および塔には重合物の残渣や付着物は全くなかった。
【００３８】
［比較例１］
重合防止剤８に代えて、ヒドロキノンを０．００８ｇ（ＭＭＡに対して１０ｐｐｍ）用いた他は、実施例１と同様にして空気気流下に攪拌してエステル交換反応を行った。反応時間６時間における転化率は９９．０％であったが、反応終了後の反応液は黄色く着色し、重合物が発生してろ過を行うことができなかった。
【００３９】
このように、ヒドロキノンはＮ−オキシル化合物に比べて着色を促進するだけではなく、重合防止効果も著しく劣る。
【００４０】
［比較例２］
重合防止剤８に代えて、ヒドロキノンを０．０８ｇ（ＭＭＡに対して１００ｐｐｍ）用いた他は、実施例１と同様にして空気気流下に攪拌してエステル交換反応を行った。反応時間６時間における転化率は９９．２％、ラウリルアルコールに対する収率は９７．３％であった。また、得られたメタクリル酸ラウリルの４１７ｎｍにおける吸光度は１．７３であった。
【００４１】
このように、ヒドロキノンはＮ−オキシル化合物に比べて着色性において著しく劣る。
【００４２】
［比較例３］
重合防止剤８に代えて、ヒドロキノンモノメチルエーテルを０．０８ｇ（ＭＭＡに対して１００ｐｐｍ）用いた他は、実施例１と同様にして空気気流下に攪拌してエステル交換反応を行った。反応時間６時間における転化率は９９．５％、ラウリルアルコールに対する収率は９６．３％であった。また、得られたメタクリル酸ラウリルの４１７ｎｍにおける吸光度は０．２５であった。
【００４３】
このように、ヒドロキノンモノメチルエーテルはＮ−オキシル化合物に比べて着色性において著しく劣る。
【００４４】
【表３】
0004065676.tif 000006
【００４５】
【発明の効果】
本発明によれば、反応終了後の生成物からの触媒の分離が容易で、重合、着色がなく高い反応率で高純度の（メタ）アクリル酸エステルを製造することができる。